(57)【要約】  本発明は、治療すべき適切な部位に治療光が照射されたことを確認することを可能にし、結果として適切な治療を行うことができる光治療装置を提供する。本発明の光治療装置は、治療部位を配置させる第一の面と前記第一の面に背向する第二の面とを有し、導光部材で構成された光照射部と；治療光を出力し、前記光照射部内部にその治療光を入射させる光源部と；前記治療光の波長帯域に感度を有する撮影部とを備える。前記撮影部は、前記第二の面を撮影する構成としている。
2012060075.tif 000002
【特許請求の範囲】
【請求項１】
治療部位を配置させる第一の面と前記第一の面に背向する第二の面とを有し、導光部材で構成された光照射部と、
治療光を出力し、前記光照射部内部にその治療光を入射させる光源部と、
前記治療光の波長帯域に感度を有する撮影部とを備え、
前記撮影部は、前記第二の面を撮影する構成とした光治療装置。
【請求項２】
前記治療部位のうち治療を要する患部を前記第一の面に接触させる構成とした請求項１に記載の光治療装置。
【請求項３】
前記導光部材は、前記治療光に対して導光性を有する材質で構成された請求項１に記載の光治療装置。
【請求項４】
前記導光部材は、略透明部材で構成された請求項１に記載の光治療装置。
【請求項５】
前記光源部は、前記治療光として、赤外光、紫外光、青色光の少なくともいずれか一つの波長帯域の光を出力する請求項１に記載の光治療装置。
【請求項６】
前記光源部は、複数の光源を備えた請求項１に記載の光治療装置。
【請求項７】
表示部をさらに備え、前記撮影部で撮影した画像を前記表示部に表示する構成とした請求項１に記載の光治療装置。
【請求項８】
前記光照射部は、基板上に配置され、
前記基板表面と前記光照射部とで仕切られる空間である中空部を有し、
前記中空部内に前記撮影部を配設した構成とした請求項１に記載の光治療装置。
【請求項９】
前記中空部は、実質的に密閉状態である請求項８に記載の光治療装置。
【請求項１０】
前記光照射部は、中空半球体状の形状である請求項１に記載の光治療装置。
【発明の詳細な説明】
【技術分野】
【０００１】
本発明は、光治療装置に関するものである。
【背景技術】
【０００２】
従来の光治療装置は、光源からの治療光を直接もしくは導光路を介して患部に向けて非接触状態で照射する構成となっていた（特許文献１参照）。この光治療装置は、治療光の波長によって、対象とする疾患が異なる。例えば、治療光として赤外光（約７００ｎｍ〜２５００ｎｍ）を用いた場合、筋肉・関節の慢性非感染性炎症による疼痛の緩解やリウマチを発症した関節の治療に用いられる。また、治療光として紫外光（約２８０ｎｍ〜４００ｎｍ）を用いた場合には、尋常性乾癬、アトピー性皮膚炎、尋常性白斑（しろなまず）、円形脱毛症、痒疹、掌蹠膿疱症といった難治性の皮膚疾患や水虫の治療に用いられている（特許文献２参照）。更に、治療光として青色光（約４００ｎｍ〜５００ｎｍ）を用いた場合には、顔、胸、背中に発症したにきびや油漏症などの皮膚疾患の治療に用いられている(例えば、特許文献３参照)。【０００３】
このように、光治療装置は、様々な疾患の治療に有用であるが、光を照射する部位によっては、光治療装置による治療が好ましくない場合もある。例えば、筋肉・関節の慢性非感染性炎症による疼痛の緩解やリウマチを発症した関節の治療には、出力が大きい赤外光が用いられる。出力が大きい赤外光が眼に照射されることは好ましくない。また、難治性の皮膚疾患や水虫の治療に用いられる紫外光は、眼に照射されると白内障の原因となる。また、皮膚に照射されると皮膚癌の原因となる。更に、にきびや油漏症などの皮膚疾患の治療に用いられる青色光は、眼に照射されると重篤な眼の障害である青色光網膜傷害や、皮膚への生理的損傷を与えることが報告されている。【０００４】
そこで、治療光が眼や不要な箇所に光が照射されることを抑制するための光治療装置が提案されている（例えば、特許文献４参照）。特許文献４に提案された光治療装置では、導光部材で構成された光照射部の内部に可視光を入射させ、光照射部表面に患部を接触させて光治療を行う。すなわち、光照射部の表面に生体が接触していない状態では、光照射部の内部から光が出射することを抑制し；一方、光照射部の表面に生体が接触した場合には、その接触部分から生体に向けて光が出射する構成としている。【０００５】
かかる構成によって、治療に供されない不要な光が光照射部から漏れ出して、不用意に患者の眼に照射されることを抑制することができる。また、光照射部の表面に接触させた治療部位のみに光が照射されるので、不要な箇所に光が照射されることも抑制できる。
【先行技術文献】
【特許文献】
【０００６】
【特許文献１】特開昭６３−２１０６９号公報
【特許文献２】特開２００７−１５９７８５号公報
【特許文献３】特表２００２−５２６１２８号公報
【特許文献４】特開２００９−９５５４９号公報
【発明の概要】
【発明が解決しようとする課題】
【０００７】
特許文献４に提案された光治療装置の光源を、赤外光や紫外光の光源とすれば、例えば、筋肉・関節の慢性非感染性炎症による疼痛の緩解やリウマチを発症した関節、難治性の皮膚疾患や水虫といった病気の治療が可能となる。ところが、赤外光や紫外光が、治療すべき適切な部位に治療光が照射されたかどうかを確認することができない。そのため、適切な治療を行うことが困難となる場合がある。【０００８】
すなわち、赤外光や紫外光は、視認できない波長帯の光であるが故に、治療すべき適切な部位に光が照射されていることが確認できない。このように、治療光が照射されている部位やその光照射状態を確認することができないことから、治療効果を把握し難く、適切な治療を行うことができない場合がある。特に紫外光は、皮膚に損傷を与えうるので、不要な箇所への照射をできる限り抑制する必要がある。そのため、光が照射されている部位やその光照射状態を把握することは極めて重要である。【０００９】
一方、上記特許文献４に提案された光治療装置の光源を、青色光の光源とすれば、例えば、にきびや油漏症などの皮膚疾患の治療が可能となる。青色光は可視光であるため、治療すべき適切な部位に治療光が照射されたことを視認することは可能である。しかしながら上述の通り、青色光網膜傷害や、皮膚への生理的損傷といった青色光の生体への影響を考えると、直接眼で確認することは好ましくない。【００１０】
そこで本発明は、治療すべき適切な部位に治療光が照射されたかどうかを安全に確認することができ、結果として適切な治療を行うことができる光治療装置を提供することを目的とする。
【課題を解決するための手段】
【００１１】
そして、この目的を達成するために本発明の光治療装置は、１）治療部位を配置させる第一の面と前記第一の面に背向する第二の面とを有し、導光部材で構成された光照射部と、２）治療光を出力し、前記光照射部内部にその治療光を入射させる光源部と、３）前記治療光の波長帯域に感度を有する撮影部とを備える。そして、前記撮影部が、前記第二の面を撮影する構成とする。これにより、所期の目的を達成する。
【発明の効果】
【００１２】
本発明の光治療装置は治療光の波長帯域に感度を有する撮影部を有するので、撮影部が撮像した画像を確認することで、安全に治療すべき適切な部位に治療光が照射されたかどうかを確認することができる。しかも、撮影部が撮像した画像を表示部に表示すれば、表示部を確認するだけで、治療光が照射されている部位及びその光照射状態をより簡便に把握することができる。結果として、適切な治療を行うことができる。【００１３】
さらに、赤外光、紫外光、青色光といった光治療に用いられる光は、直接眼に照射されることや、不要な箇所に照射されることが好ましくない場合がある。これに対し、本発明の光治療装置によれば、表示部を介して光照射状態を把握することができ、使用者や患者等の安全に配慮した光治療を実現することができる。【００１４】
また、治療光が視認できない光（赤外光や紫外光）である場合に、従来の光治療装置では、患者自身が光治療されていることを実感し難かった。これに対し、本発明の光治療装置は、表示部を確認するだけで光照射状態を確認することができるため、患者自身が治療されていることを実感することができる。
【図面の簡単な説明】
【００１５】
【図１】本発明の実施の形態１における光治療装置の斜視図
【図２】本発明の実施の形態１における光治療装置の使用状態を示す図
【図３】本発明の実施の形態１における光治療装置の正面側斜視図
【図４】本発明の実施の形態１における光治療装置の側面側斜視図
【図５】本発明の実施の形態１における光治療装置の使用状態を示す側断面図
【図６】本発明の実施の形態１における光治療装置の手指用光照射部の側断面図
【図７】本発明の実施の形態１における光治療装置の手指用光照射部の上面図
【図８】本発明の実施の形態１における光治療装置のブロック図
【図９】本発明の実施の形態１における光治療装置の動作フローチャート
【図１０】本発明の実施の形態１の光治療装置の表示部に表示された手指画像を示す図
【図１１】本発明の実施の形態２における光治療装置の基板表面上に設けられたカメラの配置を示す図
【発明を実施するための形態】
【００１６】
本発明の光治療装置は、１）光照射部と、２）光源部と、３）撮影部とを備え、好ましくは４）表示部をさらに備える。
【００１７】
光照射部は、治療部位を配置して接触させるための第一の面を有する。患者は、患部を第一の面に接触させ、接触させた患部に光照射部を導光する光を照射する。さらに光照射部は、第一の面に背向する第二の面を有する。第二の面を、撮影部が撮影するように構成される。
【００１８】
光照射部の第１の面の形状は、患部を接触させやすい形状であることが好ましい。具体的には、光照射部の第１の面は曲面であることが好ましく、半球面や半円柱面などでありうる。また、光照射部の形状は、特に限定されないが、中空半球体状または中空半円柱状でありうる。中空半球体状または中空半円柱状の外面が第１の面となり、中空半球体状または中空半円柱状の内面が第２の面となりうる。
【００１９】
光照射部は治療光を導光させることができる導光部材であり、治療光に対して透明な部材であることが好ましい。光照射部の導光部材を構成する透明材料の例には、透明アクリル樹脂（屈折率１．４９）、透明ガラス（屈折率１．５１）、パーフルオロ樹脂（屈折率１．３４）などが含まれる。
【００２０】
光照射部は、光源部が出力する光を、導光部材に入射させるための入射口を有する。入射口を通して入射した光は光照射部の導光部材を導光し；光照射部の第１の面であって、患部が接触している部分から出射する。出射した光は、患部に照射される。
【００２１】
１つの光治療装置に、１つの光照射部が備えられていてもよいし、複数の光照射部が備えられていてもよい。例えば、図３に示される光治療装置は、２つの手指光照射部１４と、２つの手首光照射部１５とを備えている。
【００２２】
光源部は、治療に供される光（治療光）を出力する部材である。治療光は、光治療装置の治療対象によって異なるが、赤外光、紫外光、青色光の少なくともいずれかであることが好ましい。光源部は、２種以上の波長の光を出力できてもよい。赤外光（約７００ｎｍ〜２５００ｎｍ）であれば、疼痛の緩解やリウマチを発症した関節の治療に用いられ；紫外光（約２８０ｎｍ〜４００ｎｍ）であれば、尋常性乾癬、アトピー性皮膚炎、尋常性白斑（しろなまず）、円形脱毛症、痒疹、掌蹠膿疱症といった難治性の皮膚疾患や水虫の治療に用いられ；青色光（約４００ｎｍ〜５００ｎｍ）であれば、顔、胸、背中に発症したにきびや油漏症などの皮膚疾患の治療に用いられうる。
【００２３】
光源部の出力した光が、光照射部の入射口を通って光照射部の導光部材に入射するように、光源部を配置することが好ましい。光源部の配置位置は特に制限されないが、光照射部が中空半球体状である場合には、中空半球体の切欠き端部に入射口２５を設けて、当該入射口に光源部２６を対向させて配置すればよい（図６参照）。
【００２４】
光治療装置は、１つの光照射部に対して、１または複数の光源部を有する。具体的に光治療装置は、光照射部が有する入射口の数に応じて光源部を有する。
【００２５】
撮影部は、光源部が出力する治療光の波長帯域に感度を有する。また撮影部は、第２の面を撮像することができる。治療中に第２の面を撮像することで、治療部位への光照射状態を確認することができる。光照射部の導光部材を導光する光は、第１の面に接触している患部（治療部位）にのみ照射され、それ以外の光は導光部材を導光する。そのため、撮影部が第２の面を撮像すると、光を照射された患部のみが明るく映し出された画像が得られる。そのため、撮影部が撮像した画像を観察すれば、患部に光が照射されているかどうかを確認することができる。
【００２６】
撮像部の配置位置は、光照射部の第２の面を撮像することができる限り特に制限されず、通常は第２の面に対向して配置されうる。たとえば、光照射部の形状が中空半球体状または中空半円柱状である場合には、光照射部の中空部の内部に撮像部を配置することが好ましい。さらに具体的には、中空半球体状または中空半円柱状の光照射部を基板に配置して、基板表面と光照射部の中空半球体状または中空半円柱状の内面とで空間を規定する。そして、規定された空間の内部に撮像部２０を配置することが好ましい（図６参照）。
【００２７】
このとき、規定された空間は密閉空間であることが好ましい。空間内に水分が侵入することを抑制することで、撮像部や光照射部が曇ることを防止する。
【００２８】
本発明の光治療装置は、さらに表示部を有しうる。表示部には、撮像部が撮像した画像を表示することができる。光治療装置のユーザーは、表示部に表示された画像を確認することで、患部（光照射部の第１の面に接触させた部位）への治療光の照射状態を確認することができる。
【００２９】
以下に、本発明の光治療装置の実施の形態を図面とともに詳細に説明する。
【００３０】
［実施の形態１］
実施の形態１では、関節リウマチを発症した手指関節および手首関節を治療する光治療装置の構成を示す。ここでいう患部とは、光治療を要する部位のことであって、実施の形態１においては手指関節および手首関節のことをいう。また、治療部位とは、患部を含む生体部位のことであって、実施の形態１においては手指関節を含む手指、手首関節を含む手首のことをいう。
【００３１】
図１は、本発明の実施の形態１における光治療装置の斜視図を示し、机１上には光治療装置２が載置されている。図２に示すように、患者３は椅子４に座り、リウマチを発症した患者の手指及び手首関節の光治療を、光治療装置を用いて自宅または病院で行う。
【００３２】
光治療装置２は、図３および図４に示すように、円盤状の基板５と、ヒンジ６によりこの基板５の表面を開閉自在に覆った蓋体７とにより構成されている。蓋体７は、下面が開口した有天円筒状をしている。蓋体７の外周面の前面側、つまりヒンジ６とは反対側の左右には、治療部位の挿入口８が設けられている。また、蓋体７の外周面の前面側の、左右の挿入口８の間には、基板５の係合孔９に係合させて蓋体７を閉めるフック１０が設けられている。フック１０の上方には、蓋体７を開けるためのフックボタン１１が設けられている。
【００３３】
蓋体７の表面には、光治療装置２を操作するための操作部１２と、光治療装置２の内部を表示する表示部１３とを備えている。基板５の表面上には左右２個の手指光照射部１４と、左右２個の手首光照射部１５とが、所定間隔をおいて配置されている。具体的には、手首光照射部１５は、基板５の表面上であって、挿入口８と手指光照射部１４との間に配置されている。この光治療装置２は、電源コード１６を介して電力が供給される。
【００３４】
図５は、実施の形態１における光治療装置２の使用状態を示す、光治療装置２の断面図である。治療部位である手１７を挿入口８から挿入し、手指１８は手指光照射部１４の表面上に、手首１９は手首光照射部１５の表面上に載せて、光治療装置２を使用する。つまり、実施の形態１では、手指光照射部１４の外表面は、手指１８を載置する第１の面であり；手首光照射部１５の外表面は、手首１９を載置する第１の面となる。
【００３５】
手指光照射部１４の外表面（第１の面）は略半球面状となっており、手指光照射部１４の内部は中空になっている。つまり、手首光照射部１４は中空半球体状となっている。外表面（第１の面）を略半球面状とすることで、治療部位である手指を載せやすくしている。
【００３６】
また、手首光照射部１５の外面は、挿入口８から手指光照射部１４に向けた線に直交する方向（以後、左右方向という）には直線状であり；挿入口８から手指光照射部１４に向けた方向（以後、前後方向という）の断面が半円状である。つまり、手首光照射部１５の外面は半円柱面状である（かまぼこ形状の外面）。また、手首光照射部１５の内部も中空であり、手首光照射部１５は中空半円柱状で構成されている。
【００３７】
手指光照射部１４および手首光照射部１５は、赤外光を照射する光照射部としての役割と、治療部位を配置するための役割とを有する。光照射部の外面に配置した治療部位に、治療光としての赤外光が照射される。
【００３８】
手指光照射部１４および手首光照射部１５に接触した手指１８と手首１９部分への治療光の照射状態を撮影するため、手指光照射部１４および手首光照射部１５の中空部の内部には、それぞれ手指撮影カメラ２０および手首撮影カメラ２１が設けられている。
【００３９】
図６及び図７は、手指光照射部１４の断面図および上面図である。上述の通り、手指光照射部１４は中空半球状であるので、手指光照射部１４の外表面、すなわち治療部位である手指１８を配置する面（以後、載置面２２という）は略半球面状の表面を有している。また、手指光照射部１４の内面は、載置面２２に背向する面（以後、背向面２３という）である。背向面２３も、載置面２２と同様に、略半球面状の表面を有している。
【００４０】
手指光照射部１４は、導光部材で形成されており、手指光照射部１４自体が光源２６から出力された光（治療光）に対して導光性を有する。すなわち、載置面２２と背向面２３との間は、光を透過する導光路２４としての役割をなす。このような導光部材として、例えば、透明アクリル樹脂（屈折率１．４９）、透明ガラス（１．５１）、パーフルオロ樹脂（屈折率１．３４）等が挙げられる。
【００４１】
手指光照射部１４を構成する導光路２４の厚さ（載置面２２と背向面２３の距離）は略均一となっている。中空半球状の手指光照射部１４の下方の開口端である導光路２４の端面には、光を導光路２４に入射させるための入射口２５が複数設けられている。図６に示されるように、手指光照射部１４の下部端部、つまり基板５内部に配置された入射口２５を含む端部は、基板５内に埋め込まれている。
【００４２】
基板５の内部には、入射口２５の数に対応した複数の光源２６が配置されている（埋め込まれている）。それぞれの光源２６は、照射した光が入射口２５を通して導光路２４に光が入射するように配置されている。光源２６は、治療光を照射する。リウマチを発症した患者の手指及び手首関節の光治療の治療光は、約７００ｎｍ〜２０００ｎｍの波長帯の近赤外光であることが好ましい。
【００４３】
手指光照射部１４の入射口２５から導光路２４に入射した光源２６から出力された光を、手指光照射部１４の外表面に接触した部分（治療部位）に集中的に照射することができる。すなわち、載置面２２に接触した生体部位（治療部位）には、手指光照射部１４内部からの光が照射されるが；一方で、載置面２２に接触していない生体部位への光照射は著しく抑制される。したがって、載置面２２に患部である手指関節を接触させることで、患部に対して選択的に治療光を照射することが可能となる。
【００４４】
載置面２２に接触している患部に対して選択的に治療光を照射することができる理由を説明する。例えば、手指光照射部１４の導光部材をアクリル樹脂としたとする。手指光照射部１４の載置面２２に、患部を含む治療部位が接触していない場合には、手指光照射部１４の導光部材を導光する治療光はアクリル樹脂（屈折率１．４９）から空気（屈折率１．００）に入射することになる。このとき、手指光照射部１４の導光部材から出射する光の界面の臨界角は４２．１５５度となる。そのため、導光路２４を導光する治療光が、４２．１５５度以上の入射角で、手指光照射部１４内部の載置面２２または背向面２３に到達すると、その光は手指光照射部１４内部の載置面２２または背向面２３で全反射する。そして、手指光照射部１４の外部へ治療光が出射されず、手指光照射部１４の導光路２４の内部で全反射を繰り返す。
【００４５】
これに対して、手指光照射部１４の載置面２２に患部を含む治療部位が接触している場合には、載置面２２の接触部分での治療光の反射状態が異なる。すなわち、治療部位が接触している場合に、手指光照射部１４の導光部材を導光する治療光は、アクリル樹脂（屈折率１．４９）から生体の皮膚（屈折率１．４）に入射することになる。このとき、手指光照射部１４の導光部材から出射する光の界面の臨界角は６９．９８４度となる。
【００４６】
このように、載置面２２に患部を含む治療部位を接触させることで、手指光照射部１４の導光部材から出射する治療光の界面の臨界角が大きくなり（４２．１５５度から６９．９８４度に変化する）、治療部位を接触させた部分から治療光が漏れやすくなる。したがって、治療部位が接触している載置面２２から選択的に治療光が出射し、患部に集中的に治療光を照射することができる。よって、エネルギー効率の高い光治療が実施できる。
【００４７】
更に、光治療装置２外部に漏れ出した治療光が患者や操作者等の眼に誤って照射されることを抑制でき、安全に治療を実施することができる。
【００４８】
次に、本発明の主たる特徴である、光照射部に載置された治療部位の光照射状態を確認するための構成について説明する。
【００４９】
手指撮影カメラ２０は、基板５の表面上であって、基板５の表面と背向面２３とで仕切られた空間（以後、中空部２７と称する）内部に配置されている。また、手指撮影カメラ２０は、背向面２３を撮影可能な向きに配置されている。
【００５０】
手指撮影カメラ２０は、光源２６からの治療光が照射された治療部位を観察することを目的に備えられたものである。つまり、手指撮影カメラ２０は、載置面２２に配置された治療部位を、背向面２３を通して撮影する。従って、導光部材は略透明な材料で構成されている必要がある。また、光源２６からの治療光は赤外光であるため、手指撮影カメラ２０は、少なくとも赤外光帯域に感度を有するものでなければならない。
【００５１】
一方、基板５の表面と手指光照射部１４の背向面２３とで仕切られる中空部２７は、実質的に密閉状態であることが好ましい。中空部２７を密閉状態とするために、基板５の表面上の手指光照射部１４の設置部分に、パッキン２８を設けている（図６参照）。光治療装置２の光源２６は、強い光を比較的長時間出力する必要があることから、光治療装置２の駆動時には、装置自身から熱を発する。発生した熱で中空部２７の温度が上昇すると、中空部２７に水分が入り込みやすくなる。中空部２７に入り込んだ水分は、手指光照射部１４の背向面２３や手指撮影カメラ２０に曇りを発生させることがある。曇りの発生は、手指撮影カメラ２０の撮影画像に影響を与えることがある。そのため、中空部２７を密閉状態にして、水分などの浸入を抑制することが好ましい。
【００５２】
また、背向面２３が曇ることは、その表面に水滴が付着していることを意味する。背向面２３の表面に水滴が付着すると、治療光が導光部材から外部へ漏れやすくなる。つまり、手指光照射部１４の導光部材から空気に入射する光の界面の臨界角よりも、手指光照射部１４の導光部材から水へ入射する光の界面の臨界角の方が大きいので、曇りが発生した背向面２３から治療光が外部へ漏れやすくなる。そのため、パッキン２８等を設けることにより、中空部２７を実質的に密閉状態にすることが好ましい。
【００５３】
図６および図７において、手指光照射部１４の構成について示した。一方、手首光照射部１５についても、手指光照射部１４と形状が異なるものの、基本的な構成は同様である。つまり、手首光照射部１５の外表面に接触した治療部位に選択的に治療光が照射され、治療光が患部に照射されたかどうかを撮影カメラによる撮影画像で確認する。また、手首光照射部１５の中空部の内部に撮影カメラを配置し、中空部の内部を実質的に密閉状態とすることも、手指光照射部１４と同様である。よって、手首光照射部１５の詳細な説明を省略する。
【００５４】
図８は、本発明の実施の形態１における光治療装置２のブロック図である。制御部２９には右手指光照射部３０、左手指光照射部３１、右手首光照射部３２及び左手首光照射部３３、操作部３４、ブザー３５、開閉検知部３６、装置内部照明３７が接続される。さらに、制御部２９には、Ｄ／Ａ変換器４４を介して表示部１３が接続されている。これら各部には、電源部３８から電源供給が行われるようになっている。
【００５５】
また、右手指光照射部３０、左手指光照射部３１、右手首光照射部３２及び左手首光照射部３３それぞれに備えられた右手指撮影カメラ３９、左手指撮影カメラ４０、右手首撮影カメラ４１、左手首撮影カメラ４２は、Ａ／Ｄ変換器４３を介して制御部２９に接続されている。
【００５６】
制御部２９は、光照射部（３０〜３３）のそれぞれに設けた複数の光源２６に、電力・信号の供給を行う。操作部３４は、蓋体７の上面の手前側（挿入口８側）に設けられており（図４参照）、電源スイッチ４５と、スタートスイッチ４６と治療時間入力スイッチ４７と、非常停止スイッチ４８とを備えている。表示部１３は、蓋体７の上面に設けられており（図４参照）、光照射が行われているか否かを知らせること、光照射残時間を知らせること、さらに各々の光照射部（３０、３１、３２及び３３）に備えられた撮影カメラ（３９、４０、４１及び４２）の映像を表示することができるようになっている。撮影カメラの撮影画像を観察することで、患部（左右の手指および左右の手首）への光照射状態を確認することができる。
【００５７】
ブザー３５は警告音等を発する。開閉検知部３６は、基板５の係合孔９にフック１０が係合され、蓋体７が閉まった状態を検知する。
【００５８】
装置内部照明３７は、蓋体７の下面の天井部に設けられている（図５参照）。装置内部照明３７は、治療光を照射していない時に点灯する。そのため、蓋体７が閉まっているときに、光治療装置２の内部や患部の手の位置を、撮影カメラ（３９、４０、４１及び４２）で撮影して表示部１３に映像を表示することで、確認することができる。装置内部照明３７は、光源２６のような治療光（赤外光）を出力するものではなく、可視光を照射する一般的な照明であればよい。
【００５９】
図９は、上記の構成において光治療装置２による光治療の手順を示すフローチャートである。
【００６０】
先ず、図３および図４の蓋体７を、図１のごとく基板５上に被せて蓋をする（図９のＳ１）。次に、電源スイッチ４５を押して電源を投入する（図９のＳ２）。すると、開閉検知部３６によって、基板５の係合孔９にフック１０が係合され、蓋体７が閉まった状態にあるか否かが検知される（図９のＳ３）。このとき、蓋体７が閉まっていないと、ブザー３５から警報が発せられる（図９のＳ４）。蓋体７が閉まっていると、次に操作部３４の治療時間入力スイッチ４７により、治療時間を設定する（図９のＳ５）。
【００６１】
その後、操作部３４の開始スイッチ４６を押す（図９のＳ６）と、所定の待機時間後に各々の光照射部（３０、３１、３２及び３３）が駆動する。そして、各々の光照射部（３０、３１、３２及び３３）に備えられた光源２６から、導光路２４内に向けて治療光が出力される用意が整う。さらに、操作部３４の開始スイッチ４６を押すことにより、装置内部照明３７が点灯し、各々の光照射部（３０、３１、３２及び３３）に備えられた撮影カメラ（３９、４０、４１及び４２）からの映像が表示部１３に表示される（図９のＳ７）。
【００６２】
その間に、患者３は、図２のごとく患者３は椅子４に座り、挿入口８から腕を挿入し、手及び手首を各々の光照射部（３０、３１、３２及び３３）に載せる（図９のＳ８）。その後、所定の待機時間が経過する（図９のＳ９）と、各々の光照射部（３０、３１、３２及び３３）が駆動し、それぞれの光源２６から治療光が出力されるとともに、装置内部照明３７が消灯する（図９のＳ１０）。
【００６３】
各々の光照射部（３０、３１、３２及び３３）の光源２６から光が照射されている間は、ブザー３５は、例えばピッピッと一定間隔ごとの注意音を発し、患者３に光治療中であることを知らせ、注意喚起をしている（図９のＳ１１）。また、光源２６から光が照射されている間も、開閉検知部３６によって蓋体７が閉まっているか否か検知される（図９のＳ１２）。万が一、蓋体７が開放すると、全ての光源２６からの光照射が停止されるとともに（図９のＳ１３）、ブザー３５からは蓋体７が開放したことが報知される（図９のＳ１４）。
【００６４】
一方、光源２６からの治療光の出力が行われている間に、蓋体７が継続的に閉まっていることを開閉検知部３６が検知している限りにおいては、治療時間入力スイッチ４７により設定した治療時間が減算されていく（図９のＳ１５）。そして、この治療時間が経過すると、光源２６からの光照射が停止するとともに、装置内部照明３７が点灯（図９のＳ１６）し、終了（図９のＳ１７）となる。
【００６５】
図１０には、本発明の実施の形態１の光治療装置２で撮影した手指画像を表示した表示部の模式図（図１０（ａ）（ｂ））と、表示部に表示した実際の撮影画像（図１０（ｃ））とを示す。
【００６６】
図１０（ａ）は、光源２６から赤外光を照射していないときの、手指光照射部の画像の模式図である。図１０（ａ）に示すように、表示部１３には全体的に暗い表示がなされる。
【００６７】
これに対して、図１０（ｂ）は、光源２６から赤外光を照射したときの、手指光照射部の画像の模式図である。図１０（ｂ）に示すように、手指光照射部１４に接触した治療部位が明るく表示され、接触していない部分は暗く表示される。このようにして、手指光照射部１４に接触した治療部位に光が照射されていることが確認される。上述した通り、手指光照射部１４の載置面２２に接触した治療部位は、治療光が照射されているので明るく表示され；載置面２２に接触していない部分は、治療光が照射されにくいので暗く表示されるためである。
【００６８】
図１０（ｃ）は、実際に光源２６から赤外光を照射して撮影した画像である。図１０（ｃ）に示すように、手指光照射部１４の載置面２２に接触した治療部位に治療光が照射されている様子が鮮明に示されている。つまり、載置面２２に密着して接触した部分ほど明るく表示され、手指光照射部１４から光が照射されていることがわかる。
【００６９】
なお、手指光照射部１４の載置面２２への治療部位の接触の有無に係わらず、治療光が手指光照射部１４から出射する構成とした場合には、手指光照射部１４の載置面２２に接触した治療部位を選択的に明るく表示する画像が得られない。なぜなら、載置面２２に接触した治療部位だけでなく、載置面２２に接触していない部分をも明るく表示してしまうからである。したがって、手指光照射部１４に接触した治療部位に選択的に治療光を照射する構成とすることが重要である。
【００７０】
［実施の形態２］
実施の形態２は、実施の形態１と同様に、治療光として赤外光を用いて、関節リウマチを発症した関節を治療するための構成を示す。
【００７１】
図１１は、本発明の実施の形態１における光治療装置２の基板５表面上に設けられた手指撮影カメラ２０の配置を示す図である。図１１（ａ）は、光治療装置２の前後方向からみた手指撮影カメラ２０の配置を示す。図１１（ｂ）は、光治療装置２の上面からみた手指撮影カメラ２０の配置を示す。手指撮影カメラ２０の配置態様以外は、実施の形態１と同様であるため、説明を省略する。
【００７２】
手指撮影カメラ２０は、本来であれば、手指全体を撮影できるように配置にすることが望ましい。しかしながら、手指全体を撮影できるようにするには、手指撮影カメラ２０と撮影する背向面２３との距離を、十分に長くする必要がある。その結果として、手指光照射部１４が大型化し、光治療装置２のサイズも大きくなる。そのため、手指光照射部１４を小型にするためには、手指撮影カメラ２０の配置を工夫する必要がある。そこで、実施の形態２においては、手指撮影カメラ２０で手指全体を撮影するのではなく、必要な箇所だけを撮影する配置の構成を示す。
【００７３】
リウマチを発症した患者の手指に赤外光を照射することで光治療が行われるが、中手指節関節から指先に向けた関節に向けて集中的に赤外光を照射することが好ましい。実施の形態１と同様に、実施の形態２の光治療装置２においても、挿入口８から手を挿入し、手指および手首をそれぞれ手指光照射部１４に配置する。したがって、手指光照射部１４に配置される手指のうち、中手指節関節から指先に向けた関節は、手指光照射部１４の前後方向に対して、主に中心から後部（ヒンジ６側）に配置される。
【００７４】
そこで、図１１（ａ）および（ｂ）に示すように、基板５の表面上に設置する手指撮影カメラ２０を、手指光照射部１４の前後方向に関して手前側（挿入口８側）に配置し、かつ後部側（ヒンジ６側）の背向面２３の上部を撮影できるように配置する。手前側（挿入口８側）とは、前後方向に関する中心線５１よりも手前をいう。後部側（ヒンジ６側）とは、中心線５１よりも後部をいう。手指撮影カメラ２０をこのように配置することで、中手指節関節から指先に向けた関節の周辺を選択的に撮影することが可能になる。
【００７５】
また、図１１（ｂ）に示すように、手指撮影カメラ２０は、左右方向に関する中心線５０付近に配置する。それにより、手指撮影カメラ２０の撮影可能な面積をよりより広く確保することができる。
【００７６】
実施の形態１および実施の形態２では、リウマチを発症した関節を治療するための光治療装置を示しており、治療光として赤外光を用いている。しかしながら本発明の光治療装置の治療対象はリウマチに限定されず、治療光として紫外光や青色光といった他の波長帯域の光を適用できることは言うまでもない。
【００７７】
光源２６の治療光の波長帯域を変更した場合には、撮像カメラ（３９，４０，４１，４２）を、その治療光の波長帯域に感度を有するカメラに変更する。例えば、治療光を紫外光とした場合には、主たる波長が紫外光波長範囲に存する光を出力する光源を使用し、その紫外光波長範囲の光に感度を有する撮像カメラを用いる。
【００７８】
また、実施の形態１および実施の形態２では、リウマチを発症した指関節の治療をするための光治療装置を示しており、光照射部を手指や手首としている。しかしながら、本発明の光治療装置において光照射する患部はこれに限定されず、治療対象に応じて適宜選択される。
【産業上の利用可能性】
【００７９】
本発明の光治療装置は、例えば、慢性非感染性炎症による疼痛の緩解、リウマチを発症した関節、尋常性乾癬、アトピー性皮膚炎、尋常性白斑（しろなまず）、円形脱毛症、痒疹、掌蹠膿疱症、水虫、にきび、油漏症といった病気を治療する光治療装置として広く活用されうる。
【符号の説明】
【００８０】
１  机
２  光治療装置
３  患者
４  椅子
５  基板
６  ヒンジ
７  蓋体
８  挿入口
９  係合孔
１０  フック
１１  フックボタン
１２  操作部
１３  表示部
１４  手指光照射部
１５  手首光照射部
１６  電源コード
１７  手
１８  手指
１９  手首
２０  手指撮影カメラ
２１  手首撮影カメラ
２２  載置面
２３  背向面
２４  導光路
２５  入射口
２６  光源
２７  中空部
２８  パッキン
２９  制御部
３０  右手指光照射部
３１  左手指光照射部
３２  右手首光照射部
３３  左手首光照射部
３４  操作部
３５  ブザー
３６  開閉検知部
３７  装置内部照明
３８  電源部
３９  右手指撮影カメラ
４０  左手指撮影カメラ
４１  右手首撮影カメラ
４２  左手首撮影カメラ
４３  Ａ／Ｄ変換器
４４  Ｄ／Ａ変換器
４５  電源スイッチ
４６  スタートスイッチ
４７  治療時間入力スイッチ
４８  非常停止スイッチ
５０  前後方向の中心線
５１  左右方向の中心線
【図１】
2012060075.tif 000003
【図２】
2012060075.tif 000004
【図３】
2012060075.tif 000005
【図４】
2012060075.tif 000006
【図５】
2012060075.tif 000007
【図６】
2012060075.tif 000008
【図７】
2012060075.tif 000009
【図８】
2012060075.tif 000010
【図９】
2012060075.tif 000011
【図１１】
2012060075.tif 000012
【図１０】
2012060075.tif 000013
【国際調査報告】
2012060075.tif 000014
2012060075.tif 000015
2012060075.tif 000016
2012060075.tif 000017